(57)【特許請求の範囲】
【請求項１】
遊技機設置島の膳板の下面に吸殻の回収樋を設け、この回収樋内の両端に設けた一対の水平軸に無端ベルトを張設して、この無端ベルトに、回収樋の終端に向けて吸殻を搬送するための折り畳み可能な回収板を立設したうえに、
回収樋内に、回収板が回収樋の始端に戻る時に回収板を折り畳むための仕切壁を、回収樋の側壁と平行に設けて、この仕切壁により復路にある回収板を折り畳むようにしたことを特徴とする遊技機設置島の吸殻回収装置。
【請求項２】
回収樋の一端に、吸殻回収タンクを設けた請求項１に記載の遊技機設置島の吸殻回収装置。
【請求項３】
回収板は、一対の水平軸を回動する無端ベルトから直角方向に伸出し回収樋の底面に対して垂直状に設けられている請求項１又は２に記載の遊技機設置島の吸殻回収装置。
【発明の詳細な説明】
【技術分野】
【０００１】
本発明は、遊技機島の膳板の下面に設けられて、吸殻を回収するための吸殻回収装置に関するものである。
【背景技術】
【０００２】
パチンコ機の遊技機島の膳板には煙草の吸殻を投入するための灰皿が設けられていることが多い。しかし、灰皿に吸殻が投入されたままであるとホール内の空気が汚染されることとなって好ましいとはいえない。そこで、出願人は、吸殻回収装置として、特許文献１に開示されたものを発明した。当該発明に係るものは、膳板内の空間に配設した無端ベルトに、折り畳み可能な吸殻の回収板を突設したものである。しかし、このものは、空間内の左右に立設した垂直軸に無端ベルトを張設していたので、膳板の後方側壁によって折り曲げられた回収板を伸直させる時に、回収板が伸直できるスペースが必要であった。このため、大きな設置スペースを要するものであった。
【特許文献１】特開２００５−３１９１８１号公報
【発明の開示】
【発明が解決しようとする課題】
【０００３】
本発明は、上記した従来の問題点に鑑み、設置スペースが小さくて済む遊技機設置島の吸殻回収装置を提供するものである。
【課題を解決するための手段】
【０００４】
上記の課題を解決するためになされた本発明の遊技機設置島の吸殻回収装置は、遊技機設置島の膳板の下面に吸殻の回収樋を設け、この回収樋内の両端に設けた一対の水平軸に無端ベルトを張設して、この無端ベルトに、回収樋の終端に向けて吸殻を搬送するための折り畳み可能な回収板を立設したうえに、
回収樋内に、回収板が回収樋の始端に戻る時に回収板を折り畳むための仕切壁を、回収樋の側壁と平行に設けて、この仕切壁により復路にある回収板を折り畳むようにしたことを特徴とするものである。
【０００５】
上記した発明において、回収樋の一端に、吸殻回収タンクを設けることもできる。また、回収板を、一対の水平軸を回動する無端ベルトから直角方向に伸出し回収樋の底面に対して垂直状に設けることができる。
【発明の効果】
【０００６】
請求項１に係る発明は、無端ベルトが張設される支軸を水平軸としたので、吸殻を回収する往路の回収板と、元に戻る復路の回収板とを上下に位置させることができる。これによって、吸殻回収装置が遊技者に対して前後方向に占めるスペースを小さくすることができる。また、復路においては、回収板を折り畳むようにしたので、往路の回収板と復路の回収板との間に吸殻が挟まれたりする搬送上のトラブルが発生することがない。
請求項２に係る発明は、吸殻回収タンクに吸殻を投入することができる。
請求項３に係る発明は、回収板を、無端ベルトから直角方向に伸出させて回収樋の底面に対して垂直状に突設したので、この回収板により吸殻を回収することができる。
【発明を実施するための最良の形態】
【０００７】
以下に、本発明を図面に基づき詳細に説明する。
図１〜３は、本発明の吸殻回収装置を示す図であって、１は遊技機島の前に配設された膳板、２は膳板１を貫通して設けられた灰皿、３は膳板１の下面、すなわち裏側に設けられた吸殻の回収樋である。回収樋３の始端３１と終端３２にはそれぞれ水平軸３３、３４が設けられており、この水平軸３３、３４は、図示していない駆動装置により回転される。また、回収樋３の終端３２には吸殻回収タンク６が配設されている。
【０００８】
水平軸３３、３４には、チェーンである無端ベルト４が張架されており、無端ベルト４は、終端３２に向かう下側の無端ベルト４１と、始端３１に向かう上側の無端ベルト４２との上下２段となっている。この無端ベルト４に吸殻の回収板５が複数枚所要間隔をおいて螺着されている。回収板５は無端ベルト４の張設方向に対して直角にして、且つ前方に伸出しており、また、回収樋３の底面３５に対して垂直状に設けられている。そして、下側の無端ベルト４１に設けられた回収板３は、底面３５を摺動するか、底面３５に対して吸殻が搬送可能な小さな隙間をもって移動する。回収板３は、不燃性のゴムや、薄い金属板などからなる可撓性を有するものである。回収板３をヒンジ、バネなどで取り付けて折り畳み可能とすることもできる。
【０００９】
回収樋３内には、仕切壁３６を設けてある。この仕切壁３６は、膳板１の下面から回収樋３の底面３５に向けて下向きで、回収樋３の側壁３７と平行に設けられている。仕切壁３６と上側の無端ベルト４との間は、チェーン回収板５が回収樋３の始端３１に戻る時に回収板５を折り畳むことができる隙間が形成してある。仕切壁３６の下端と回収樋３の底面３５との間には、下側の無端ベルト４１に取り付けられた回収板５が通過可能な隙間を設けてある。なお、仕切壁３６は、回収樋３と一体に形成されている。
【００１０】
以上のように構成されたものにおいては、灰皿２から回収樋３内に投入された吸殻は、下側の無端ベルト４１に設けられた回収板５により吸殻回収タンク６にまで搬送される。
吸殻の回収を終えた回収板５は、水平軸３４を周回して始端３１の方に向かう。そして、仕切壁３６の入口に達すると、その端部により回収板５は折り曲げられる。仕切壁３６の入口は徐々に縮幅されるように形成して、円滑に折り畳むようにしておくことができる。
【００１１】
折り曲げられて仕切壁３６の出口に達した回収板５は、折り曲げが解除されるので、再び無端ベルト４と直角に伸直される。そして、始端３１側の水平軸３３を周回して、吸殻を搬送可能な状態となる。以上のような折り曲げ、伸直を繰り返すことによって、吸殻回収装置は吸殻を回収することができる。
【００１２】
以下に、回収板５を折り曲げることの効果について説明する。
図４〜６は、仕切り板３６を設けていない場合の回収樋３内の状態を示す図であって、この場合には、上側の無端ベルト４２の回収板５も伸直したままで始端３１側に戻る。このような状態においては、往路の回収板５と復路の回収板５とか交差する場合があって、吸殻が偶然上下２枚の回収板５の間に挟まれてしまう事態が起こりうる。２枚の回収板５に挟まれた場合には、それ以上回収板５は移動することが不可能となってしまう。或いは大きな負荷が掛かったりするので、吸殻の搬送に支障を来すこととなる。
【００１３】
以上のような事態の発生を回避するために、仕切壁５を設けた場合には、図７に示すように下側の無端ベルト４１の回収板５は伸直し、上側の無端ベルト４２の回収板４２は折り曲げられているので、２枚の回収板５，５の間に吸殻が挟まれてしまうことがない。よって、吸殻の回収を円滑に行うことができるという顕著な効果を奏する。
【図面の簡単な説明】
【００１４】
【図１】本発明の吸殻回収装置の正面断面図である。
【図２】吸殻回収装置の側面断面図である。
【図３】吸殻回収装置の平面断面図である。
【図４】仕切壁のない吸殻回収装置の正面断面図である。
【図５】図４の吸殻回収装置の側面断面図である。
【図６】図４の吸殻回収装置の平面断面図である。
【図７】吸殻回収装置の要部の平面断面図である。
【符号の説明】
【００１５】
１  膳板、３  回収樋、５  回収板、３５  回収樋の底面、３６  仕切壁、４  無端ベルト、
【図１】
0004565578.tif 000002
【図２】
0004565578.tif 000003
【図３】
0004565578.tif 000004
【図４】
0004565578.tif 000005
【図５】
0004565578.tif 000006
【図６】
0004565578.tif 000007
【図７】
0004565578.tif 000008